(57)【要約】【課題】  ブラッシング作業中にワイヤが飛散する範囲を狭くして安全性を向上し、また、交換頻度の少ないワイヤブラシを提供する。【解決手段】  ホルダ部２に複数本のワイヤ４を植設し、ホルダ部２とともにワイヤ４を回転するワイヤブラシ５において、前記ワイヤ４の周囲を囲繞する環状カバー部８と、この環状カバー部８をワイヤ４の長手方向に沿って移動可能な状態で上記ホルダ部２に取り付けるスライド部９とを備えたキャップ６を設け、前記キャップ６を移動して環状カバー部８の先端開口部１０から突出するワイヤ４の突出長さを調整可能とするとともに、ワイヤ４の先端部が拡がる範囲を環状カバー部８により規制するようにした。【選択図】  図１
2005034521.tif 000002
【特許請求の範囲】
【請求項１】
ホルダ部に複数本のワイヤを植設し、ホルダ部とともにワイヤを回転するワイヤブラシにおいて、
前記ワイヤの周囲を囲繞する環状カバー部と、この環状カバー部をワイヤの長手方向に沿って移動可能な状態で上記ホルダ部及びまたはホルダ部の軸に取り付けるスライド部とを備えたキャップを設け、
前記キャップをホルダ部及びまたはホルダ部の軸の軸方向に移動して環状カバー部の先端開口部から突出するワイヤの突出長さを調整可能にするとともに、ワイヤの先端部が拡がる範囲を環状カバー部により規制するようにしたことを特徴とするキャップ付ワイヤブラシ。
【請求項２】
前記スライド部は、ホルダ部を内側に収納した状態でホルダ部の外周面上を摺動する筒状部材で構成され、当該スライド部の端部に環状カバー部を成形したことを特徴とする請求項１に記載のキャップ付ワイヤブラシ。
【請求項３】
ホルダ部に複数本のワイヤを植設し、ホルダ部とともにワイヤを回転するワイヤブラシに装着して、ワイヤブラシと共に回転するワイヤブラシ用キャップであって、
該キャップは、ワイヤの長手方向の途中を囲繞する環状カバー部と、該環状カバー部をホルダ部及びまたはホルダ部の軸にスライド可能な状態で取り付けるスライド部とを備えたことを特徴とするワイヤブラシ用キャップ。
【発明の詳細な説明】
【技術分野】
【０００１】
本発明は、複数本のワイヤを回転して使用するワイヤブラシに関する。
【背景技術】
【０００２】
ブラシの中には、ホルダ部に植設した毛を水や圧縮空気などの流体を利用してホルダ部ごと回転し、毛先をブラッシング対象物に押し付けて表面の汚れや異物を取り除く回転式のブラシがある（例えば、特許文献１参照。）。
そして、毛をワイヤで形成した回転式のブラシ、すなわち回転式のワイヤブラシは、強くこびり付いた汚れや異物、例えば、溶接により金属表面に生じたテンパーカラー（高温による着色）や酸化膜の除去に用いられる。
【特許文献１】特開２００１−３７５４５号公報（第３頁，第１図）
【発明の開示】
【発明が解決しようとする課題】
【０００３】
ところで、上記のような汚れや異物をブラッシング対象物から除去するため、作業員は、ワイヤブラシのワイヤを回転させた状態で強く押し付けがちである。そのため、ワイヤは、根元部分に応力が集中してしまう。そして、繰り返し使用していると根元から曲がり易くなり、疲労破壊を起こしてしまう。このことから、ワイヤが回転により広範囲に飛び散る虞があり、大変危険である。また、数回の使用でワイヤがホルダ部から離脱して十分なブラッシングができなくなってしまう。したがって、ワイヤブラシの交換頻度が多くなり、ブラッシング作業の効率に改善の余地を残していた。
【０００４】
そこで、本発明は、上記の事情に鑑みてなされたものであり、その目的は、ブラッシング作業中にワイヤが飛散する範囲を狭くして安全性を向上し、また、交換頻度の少ないワイヤブラシを提供しようとするものである。
【課題を解決するための手段】
【０００５】
本発明は、上記目的を達成するために提案されたものであり、請求項１に記載のものは、ホルダ部に複数本のワイヤを植設し、ホルダ部とともにワイヤを回転するワイヤブラシにおいて、
前記ワイヤの周囲を囲繞する環状カバー部と、この環状カバー部をワイヤの長手方向に沿って移動可能な状態で上記ホルダ部及びまたはホルダ部の軸に取り付けるスライド部とを備えたキャップを設け、
前記キャップをホルダ部及びまたはホルダ部の軸の軸方向に移動して環状カバー部の先端開口部から突出するワイヤの突出長さを調整可能にするとともに、ワイヤの先端部が拡がる範囲を環状カバー部により規制するようにしたことを特徴とするキャップ付ワイヤブラシである。
【０００６】
請求項２に記載のものは、前記スライド部は、ホルダ部を内側に収納した状態でホルダ部の外周面上を摺動する筒状部材で構成され、当該スライド部の端部に環状カバー部を成形したことを特徴とする請求項１に記載のキャップ付ワイヤブラシである。
【０００７】
請求項３に記載のものは、ホルダ部に複数本のワイヤを植設し、ホルダ部とともにワイヤを回転するワイヤブラシに装着して、ワイヤブラシと共に回転するワイヤブラシ用キャップであって、
該キャップは、ワイヤの長手方向の途中を囲繞する環状カバー部と、該環状カバー部をホルダ部及びまたはホルダ部の軸にスライド可能な状態で取り付けるスライド部とを備えたことを特徴とするワイヤブラシ用キャップである。
【発明の効果】
【０００８】
本発明によれば、前記キャップを移動して環状カバー部の先端開口部から突出するワイヤの突出長さを調整可能とするとともに、ワイヤの先端部が拡がる範囲を環状カバー部により規制するようにしたので、ワイヤのうち根元から環状カバー部の開口部までの部分が拡がるのを抑えることができ、ワイヤに加わる応力を軽減してワイヤの寿命を延ばすことができる。また、繰り返しブラッシング作業を行っても、ワイヤのうち環状カバー部の開口部から先端までの部分のみ曲がったり脱落したりして、脱落したワイヤが飛び散る範囲を抑えることができ、作業の安全性を向上することができる。そして、ワイヤの突出部分の脱落後に環状カバー部を移動すれば、再びワイヤを環状カバー部から突出させることができる。したがって、ワイヤブラシの寿命を延ばすことができ、交換頻度を少なくしてブラッシング作業の効率向上を図ることができる。
【発明を実施するための最良の形態】
【０００９】
以下、本発明の実施の最良の形態を図面に基づいて説明する。図１は、キャップ付ワイヤブラシ１の概略図である。
【００１０】
キャップ付ワイヤブラシ１は、図１に示すように、円柱状のホルダ部２の後端面から回動軸３（本発明のホルダ部の軸に相当）を延設し、先端面（回動軸３とは反対側の端面）には複数本のワイヤ４を植設したワイヤブラシ５と、該ワイヤブラシ５に取り付けられたキャップ（ワイヤブラシ用キャップ）６とから構成されている。なお、このキャップ付ワイヤブラシ１は、ホルダ部２の回動軸３を回転駆動源の出力軸（図示せず）、例えば圧縮空気の空圧を利用して回転するエアツール（エアドリル、エアグラインダ等）のチャックに接続し、ホルダ部２やキャップ６とともにワイヤ４を回転できるように構成されている。
【００１１】
キャップ６は、ホルダ部２、回動軸３の先端部分およびワイヤ４（すなわちワイヤブラシ５）の外周を覆う状態で設けられた筒状部材である。このキャップ６は、ワイヤ４の周囲を囲繞する環状カバー部８と、該環状カバー部８をワイヤ４の長手方向に沿って移動させるスライド部９とから構成されている。
【００１２】
環状カバー部８は、スライド部９のうちワイヤ４側の端部に一体成形された円筒形の部分であり、ワイヤ４の根元の周囲、すなわちホルダ部２の先端面（図中右端面）の周囲から前方に向け、ワイヤ４の長手方向に沿って延設されている。この環状カバー部８は、ワイヤ４およびホルダ部２が長手方向に進退可能な空間を内部に形成し、当該環状カバー部８の先端開口部１０からワイヤ４を、当該ワイヤ４の先端部が突出する状態で臨ませている。さらに、環状カバー部８は、先端開口部１０にワイヤ４の長手方向の途中部分、詳しくは複数のワイヤ４のうち外側に植設されているワイヤ４の長手方向の途中部分が当接して、ワイヤ４の先端部が拡がる範囲を規制している。本実施形態では、環状カバー部８は、先端開口部１０でワイヤ４の途中部分を束ねるように囲繞して、キャップ付ワイヤブラシ１の使用前において、ワイヤ４の先端部が環状カバー部８よりも外側にはみ出さないように拡がる範囲を規制している。
【００１３】
スライド部９は、内側にホルダ部２を嵌め込み得る空間を有する筒状部材であり、この空間にホルダ部２を収納した状態でホルダ部２の外周面上をワイヤ４の延設方向、あるいはホルダ部２の中心軸方向に沿って摺動できるように構成されている。このような構成により、スライド部９は、ワイヤ４側の端部から延設した環状カバー部８を、当該スライド部９と共にワイヤ４の長手方向に沿って進退させることができる。
【００１４】
また、スライド部９は、回動軸３側の端部を閉塞することで環状カバー部８とは反対側にストッパー１１を形成している。すなわち、スライド部９は、該ストッパー１１をホルダ部２の後端面（回動軸３が延設された端面）に当接可能にして、キャップ６（すなわちスライド部９および環状カバー部８）がホルダ部２から脱落しないように構成されている。なお、本実施形態のキャップ付ワイヤブラシ１は、新品のワイヤブラシ５にキャップ６を装着し、ストッパー１１をホルダ部２の回動軸３側端に当接すると、ワイヤ４の先端部が所定の長さ（例えば１０ｍｍ程度）だけ環状カバー部８から突出するように構成されている。
【００１５】
そして、キャップ６は、円板状のストッパー１１に回動軸３が嵌入可能なスライド孔１２（本発明のスライド部９の一種に相当）を開設している。このスライド孔１２は、回動軸３を通した状態で回動軸３の外周面上をホルダ部２の中心軸方向に沿って摺動できるように形成されている。すなわち、スライド部９がホルダ部２の外周面上を移動すると、スライド孔１２は、回動軸３の外周面上をスライド部９と同じ方向へ移動する。
【００１６】
なお、キャップ６は、ホルダ部２との間にほとんど隙間ができない程度のはめあいでホルダ部２に組み付けられて、キャップ付ワイヤブラシ１でブラッシング作業中に、キャップ６がずれないように構成されている。また、キャップ６は、スライド部９および環状カバー部８の肉厚を薄くして、ブラッシング作業中にキャップ６がブラッシング対象物に接触し難くなるように構成されている。
【００１７】
上記のようなキャップ付ワイヤブラシ１を使用するには、回転駆動源の出力軸にワイヤブラシ５の回動軸３を接続し、キャップ６を進退移動してワイヤ４の先端部を環状カバー部８から所望量（例えば１０ｍｍ程度）だけ突出し、ブラッシング作業が良好に行なえる状態に調整する（図１（ａ）参照）。そして、回転駆動源の出力軸を回転すると、ワイヤブラシ５がキャップ６とともに回転する。このとき、キャップ６の環状カバー部８は、ワイヤ４の長さの途中部分を先端開口部１０に当接して、当該ワイヤ４の先端部が拡がる範囲を規制する。しかも、ワイヤ４の突出部分が短く、この突出部分に掛かる遠心力がワイヤ４を曲げる程大きくならないので、ワイヤ４は、外側に拡がり難い。すなわち、ワイヤ４の先端部の回転半径が拡がらない。したがって、ワイヤ４が遠心力によって受ける応力は大きくならず、回転によるワイヤ４の変形や疲労を防いでワイヤブラシ５の寿命を延ばすことができる。
【００１８】
そして、ブラッシング対象物（ワーク）１３へ回転しているワイヤ４の先端部を押し付けて、ブラッシング対象物１３から汚れや異物を取り除く。このとき、ワイヤブラシ５は、ブラッシング対象物に押し付ける力の反力を受ける。この反力により、ワイヤ４は、環状カバー部８の先端開口部１０に支持された箇所で外側に曲がる（図１（ｂ）参照）。なお、ワイヤ４は、先端開口部１０よりも根元側では環状カバー部８に支持されているので曲がり難い。
【００１９】
さらに、長時間あるいは繰り返しブラッシング作業を行うと、ワイヤ４の曲がった箇所に繰り返し荷重が掛かって疲労し、ついにはワイヤ４の先端部が屈曲箇所から破断する。そして、破断したワイヤ４の先端部は、遠心力により外側へ飛び散る。ところが、この破断した先端部は、ワイヤ４の全長よりも小さい。したがって、このワイヤ４の先端部は、ワイヤ４が根元から破断した場合よりも飛び散る範囲が狭くなる。このことから、ワイヤブラシ５にキャップ６を取り付けてブラッシング作業を行うことで、作業中の安全性の向上を図ることができる。
【００２０】
そして、先端部が脱落して、環状カバー部８からのワイヤ４の突出量が短くなったならば（図１（ｃ）参照）、キャップ６を後退、すなわち回動軸３側へホルダ部２の軸方向に沿ってスライドする。すると、環状カバー部８内に収納されていたワイヤ４が先端開口部１０から出現し、再びブラッシング作業を良好に行なえる程度のワイヤ４を突出することができる（図１（ｄ）参照）。したがって、ワイヤ４の先端部が脱落しても、引き続きキャップ付ワイヤブラシ１を使用することができ、新品に交換する必要がない。このことから、ブラッシング作業の効率向上を図ることができる。
【００２１】
なお、キャップ６の側部、すなわちスライド部９あるいは環状カバー部８の側部に雌ネジ孔を開設し、該雌ネジ孔に止めネジを螺合し（いずれも図示せず）、止めネジの先端をホルダ部２の外周面に押し付ければ、キャップ６を位置決めした状態で確実にホルダ部２に固定することができ、振動等によってキャップ６がずれる心配がない。したがって、ブラッシング作業中にワイヤ４の突出量が変わってしまったり、環状カバー部８がブラッシング対象物１３にぶつかってしまったりすることがなくて好適である。
【００２２】
上記実施形態では、円筒状のキャップ６をワイヤブラシ５に取り付けたが、これに限らず、例えば、図２に示すように、断面が多角形となるように外周面を備えたキャップ１４でもよいし、あるいは断面が歯車形となるように外周面を備えたキャップ１５でもよい。
【００２３】
また、ワイヤブラシ５は、図３に示すように、内周面をテーパ状に形成したキャップ１６を装着し、スライド孔１２を回動軸３に嵌合することによりその位置を停止させておいてブラッシング作業を行ったり、スライド孔１２を回動軸３上で軸方向にスライドさせることでキャップ１６がホルダ部２に沿って移動できるようにしてもよい。このようなキャップ１６をワイヤブラシ５に取り付けると、ワイヤ４の先端部がホルダ部２の軸方向から見てホルダ部２よりも拡がった状態に維持することができ、広範囲のブラッシング作業を行なうのに好適である。
【００２４】
そして、上記実施形態では、スライド部９は、筒形状に形成され、ワイヤブラシ５を内側に収納できるように構成したが、本発明はこれに限定されず、環状カバー部８の位置を移動してワイヤ４の突出量を調整可能な構成であればどのようなものでもよい。例えば、図４に示すように、ホルダ部２の外周に着脱可能な状態で嵌合するリング状のブラケット２１と、該ブラケット２１に取り付けられ、ワイヤ４の延設方向へ沿って摺動可能なスライドロッド２２とからスライド部２３を構成し、スライドロッド２２の先端に環状カバー部８を接続してキャップ２４を構成してもよい。
【００２５】
また、図５に示すように、外周面に雄ネジを刻設した円筒状のインナーキャップ２６と、内周面に雌ネジを刻設した円筒状のアウターキャップ２７とを螺合してスライド部２８を形成し、さらに、アウターキャップ２７の先端に環状カバー部８を延設してキャップ２９を構成してもよい。このキャップ２９は、インナーキャップ２６の内側にホルダ部２を収納した状態でアウターキャップ２７を回転すれば、アウターキャップ２７とともに環状カバー部８が回転しながら進退し、先端開口部１０から突出するワイヤ４の長さを調整することができる。なお、アウターキャップ２７に回り止め部材を設け、インナーキャップ２６あるいはホルダ部２へ係止可能にすれば、ブラッシング作業中にアウターキャップ２７が不用意に回転せず、環状カバー部８の位置を維持できて好適である。
【図面の簡単な説明】
【００２６】
【図１】キャップ付ワイヤブラシの概略図であり、（ａ）はワイヤの先端部が脱落する前の状態、（ｂ）はブラッシング作業中の状態、（ｃ）はワイヤの先端部が脱落した状態、（ｄ）はキャップを移動した状態の図である。
【図２】（ａ）は外周面が六角形を形成するキャップ、（ｂ）は歯車形を形成するキャップの正面図である。
【図３】内周面をテーパ状に形成したキャップをワイヤブラシに装着した状態図である。
【図４】（ａ）は第２実施形態のキャップ付ワイヤブラシの概略図、（ｂ）は第３実施形態のキャップ付ワイヤブラシの概略図である。
【符号の説明】
【００２７】
１  キャップ付ワイヤブラシ
２  ホルダ部
３  回動軸
４  ワイヤ
５  ワイヤブラシ
６  キャップ
８  環状カバー部
９  スライド部
１０  先端開口部
１１  ストッパー
１２  スライド孔
１３  ブラッシング対象物
１４  キャップ
１５  キャップ
１６  キャップ
２１  ブラケット
２２  スライドロッド
２３  スライド部
２４  キャップ
２６  インナーキャップ
２７  アウターキャップ
２８  スライド部
２９  キャップ
【図１】
2005034521.tif 000003
【図２】
2005034521.tif 000004
【図３】
2005034521.tif 000005
【図４】
2005034521.tif 000006